(57)【要約】【課題】洗浄便座装置の外観を損なうことなく、操作部に対するいたずらを適切に防止する。【解決手段】便器に対して着脱可能に設置される洗浄便座装置は、便器に対する着脱操作用の操作部および局部洗浄水の排水操作用の操作部の少なくともいずれかの操作部が、左右両方の側面または一方の側面から露出して設けられた本体と、本体から露出する少なくともいずれかの操作部を覆うと共に本体の側面との境界側において表面が側面と段差のない状態で本体に着脱可能に取り付けられるパネル部材と、を備え、パネル部材は、表面の少なくとも二辺が側面の二辺の少なくとも一部を構成するように形成されている。【選択図】図５
2020037782.tif 000002
【特許請求の範囲】
【請求項１】
便器に対して着脱可能に設置される洗浄便座装置であって、
前記便器に対する着脱操作用の操作部および局部洗浄水の排水操作用の操作部の少なくともいずれかの操作部が、左右両方の側面または一方の側面から露出して設けられた本体と、
前記本体から露出する少なくともいずれかの前記操作部を覆うと共に前記本体の側面との境界側において表面が前記側面と段差のない状態で前記本体に着脱可能に取り付けられるパネル部材と、
を備え、
前記パネル部材は、前記表面の少なくとも二辺が前記側面の二辺の少なくとも一部を構成するように形成されている
洗浄便座装置。
【請求項２】
請求項１に記載の洗浄便座装置であって、
前記パネル部材は、前記洗浄便座装置の前後方向に沿って延在し、前記表面の前辺と後辺がそれぞれ前記本体の側面の前辺と後辺の少なくとも一部を構成すると共に前記表面の下辺が前記本体の側面の下辺を構成するように形成されている
洗浄便座装置。
【請求項３】
請求項１または２に記載の洗浄便座装置であって、
前記本体は、側壁部に係合穴が形成されており、
前記パネル部材は、裏面から突出し前記係合穴に係合する係合爪が形成されている
洗浄便座装置。
【請求項４】
請求項３に記載の洗浄便座装置であって、
前記本体は、前記側壁部の内側に、前記係合穴に連通する空間を隔壁で取り囲んだ隔壁室が形成されている
洗浄便座装置。
【請求項５】
請求項４に記載の洗浄便座装置であって、
前記本体は、前記側壁部に前記係合穴が上下に並んで形成されており、
下側の前記係合穴は、前記隔壁室内の水滴を外部に排出する排水穴を兼ねる
洗浄便座装置。
【請求項６】
請求項１ないし５のいずれか１項に記載の洗浄便座装置であって、
公共施設に配置された前記便器に設置される
洗浄便座装置。
【発明の詳細な説明】
【技術分野】
【０００１】
本発明は、洗浄便座装置に関する。
【背景技術】
【０００２】
従来、この種の洗浄便座装置としては、便器の上面に固定された被係合部材（固定部材）の鉤状凹部に、本体に設けられた鉤状突起が係合することにより、便器の上面に本体が固定されるものが提案されている（例えば、特許文献１参照）。この洗浄便座装置では、本体の側面に設けられた操作部（押引動桿）と、操作部の操作に連動し鉤状凹部との係合を解除するように鉤状突起を作動させる作動レバーとを備えており、作業者による操作部の操作によって作動レバーが鉤状突起と鉤状凹部との係合を解除している状態で、便器から本体を取り外すものとしている。また、操作部を覆ういたずら防止カバーが設けられており、いたずら防止カバーを取り外さなければ操作部を操作することができないものとなっている。
【先行技術文献】
【特許文献】
【０００３】
【特許文献１】特開２００３−２３９３５３号公報
【発明の概要】
【発明が解決しようとする課題】
【０００４】
上述した洗浄便座装置では、いたずら防止カバーの表面が、洗浄便座装置の本体の側面と面一となって段差のない状態で取り付けられているが、その取り付け箇所は、本体の側面における下端側の一部を部分的に切り欠いた箇所となっている。このため、いたずら防止カバーと本体との境界が目立ち易くなり、洗浄便座装置の外観が損なわれることになる。また、使用者がいたずら防止カバーの存在に気付き易くなるから、使用者がいたずら防止カバーを取り外そうとするなど、却っていたずらが生じるおそれもある。
【０００５】
本発明は、洗浄便座装置の外観を損なうことなく、操作部に対するいたずらを適切に防止することを主目的とする。
【課題を解決するための手段】
【０００６】
本発明は、上述の主目的を達成するために以下の手段を採った。
【０００７】
本発明の洗浄便座装置は、便器に対して着脱可能に設置される洗浄便座装置であって、前記便器に対する着脱操作用の操作部および局部洗浄水の排水操作用の操作部の少なくともいずれかの操作部が、左右両方の側面または一方の側面から露出して設けられた本体と、前記本体から露出する少なくともいずれかの前記操作部を覆うと共に前記本体の側面との境界側において表面が前記側面と段差のない状態で前記本体に着脱可能に取り付けられるパネル部材と、を備え、前記パネル部材は、前記表面の少なくとも二辺が前記側面の二辺の少なくとも一部を構成するように形成されていることを要旨とする。
【０００８】
本発明の洗浄便座装置では、本体から露出する少なくともいずれかの操作部を覆うと共に本体の側面との境界側において表面が側面と段差のない状態で本体に着脱可能に取り付けられるパネル部材を備える。このパネル部材は、表面の少なくとも二辺が本体の側面の二辺の少なくとも一部を構成するように形成されている。このため、パネル部材と本体の側面との境界が目立つのを抑えてパネル部材が別部材であることを気付き難くすることができるから、いずれかの操作部に対するいたずら防止効果を高めると共に本体の側面のデザイン性が低下するのを抑制することができる。したがって、洗浄便座装置の外観を損なうことなく、操作部に対するいたずらを適切に防止することができる。
【０００９】
本発明の洗浄便座装置において、前記パネル部材は、前記洗浄便座装置の前後方向に沿って延在し、前記表面の前辺と後辺がそれぞれ前記本体の側面の前辺と後辺の少なくとも一部を構成すると共に前記表面の下辺が前記本体の側面の下辺を構成するように形成されているものとしてもよい。これにより、パネル部材が本体の側面と別部材であることをより気付き難くすることができる。
【００１０】
本発明の洗浄便座装置において、前記本体は、側壁部に係合穴が形成されており、前記パネル部材は、裏面から突出し前記係合穴に係合する係合爪が形成されているものとしてもよい。こうすれば、パネル部材が別部材であることを気付き難いものとしつつ着脱を容易なものとすることができるから、着脱操作や排水操作を行う際にパネル部材を速やかに着脱することができる。
【００１１】
本発明の洗浄便座装置において、前記本体は、前記側壁部の内側に、前記係合穴に連通する空間を隔壁で取り囲んだ隔壁室が形成されているものとしてもよい。こうすれば、パネル部材が誤って取り外されたままの状態とされて係合穴が露出していても、係合穴から入った水滴を隔壁室で留めて本体内部に水滴が到達するのを抑制することができる。
【００１２】
この態様の本発明の洗浄便座装置において、前記本体は、前記側壁部に前記係合穴が上下に並んで形成されており、下側の前記係合穴は、前記隔壁室内の水滴を外部に排出する排水穴を兼ねるものとしてもよい。こうすれば、専用の排水穴を設けなくても、隔壁室内に入った水滴を適切に排出することができる。
【００１３】
本発明の洗浄便座装置において、公共施設に配置された前記便器に設置されるものとしてもよい。公共施設の便器に設置される洗浄便座装置は、不特定多数の使用者に使用されるため、いたずらを防止する必要性が高いことから、本発明を適用する意義が高い。
【図面の簡単な説明】
【００１４】
【図１】洗浄便座装置１０が取り付けられた便器１の外観斜視図である。
【図２】洗浄便座装置１０の右側面図である。
【図３】図２の部分拡大図である。
【図４】洗浄便座装置１０の左側面図である。
【図５】洗浄便座装置１０とサイドパネル部材３０の外観斜視図である。
【図６】図５の部分拡大図である。
【図７】サイドパネル部材３０の裏面３４側の外観斜視図である。
【図８】装置本体２０の内部構成の一部を示す説明図である。
【図９】ベース部材２１の部分拡大図である。
【図１０】変形例の洗浄便座装置１０Ｂの右側面図である。
【図１１】変形例の洗浄便座装置１０Ｃの右側面図である。
【発明を実施するための形態】
【００１５】
次に、本発明を実施するための形態について説明する。
【００１６】
図１は洗浄便座装置１０が取り付けられた便器１の外観斜視図であり、図２は洗浄便座装置１０の右側面図であり、図３は図２の部分拡大図であり、図４は洗浄便座装置１０の左側面図であり、図５は洗浄便座装置１０とサイドパネル部材３０の外観斜視図であり、図６は図５の部分拡大図である。また、図７はサイドパネル部材３０の裏面３４側の外観斜視図であり、図８は装置本体２０の内部構成の一部を示す説明図であり、図９はベース部材２１の部分拡大図である。本実施形態において、左右方向、前後方向および上下方向は、各図に示した通りとする。
【００１７】
図１に示すように、便器１は洋式便器であり、便器１の上面に洗浄便座装置１０が着脱可能に設置されている。洗浄便座装置１０は、便器１の上面の後方に固定される装置本体２０と、装置本体２０の側面に着脱可能に取り付けられるサイドパネル部材３０と、装置本体２０に開閉可能に軸支される便座４０と、を備える。洗浄便座装置１０は、便座４０を覆うための便蓋が設けられない便蓋レスの構造となっており、例えば駅や空港、ショッピングセンタ、病院、学校などの公共施設に配置された便器１に設置されている。洗浄便座装置１０は、この他に使用者の操作を受け付ける操作パネルなどを備えるが、図示は省略する。
【００１８】
装置本体２０は、使用者の局部を洗浄する局部洗浄ノズルや洗浄水を貯留する水タンク２４（図８参照）、洗浄水を加温する温水ヒータなどを有する洗浄ユニットと、洗浄ユニットなどの各機能ユニットを制御する制御装置とを内蔵する。装置本体２０は、水タンク２４などを支持固定すると共に便器１の上面に固定されるベース部材２１と、ベース部材２１に取り付けられ便座４０を回動可能に支持する図示しない支持部が形成されたカバー部材２６とを有する。また、装置本体２０には、洗浄便座装置１０を取り外して移動させる際などに、水タンク２４に貯留している洗浄水を排水口から排出するための排水操作部（操作栓）２４ａ（図５，図６，図８参照）が設けられている。作業者は、排水口を閉塞している排水操作部２４ａを所定角度（例えば９０度）回動させることにより、排水操作部２４ａを排水口から取り外して排水口を開放し、開放した排水口から洗浄水を排出させる。
【００１９】
便器１の上面には、図示は省略するが、例えば凹部などの被係合部が形成された略平板状の固定部材がボルトなどの締結部材を介して固定されている。洗浄便座装置１０は、ベース部材２１に形成された図示しない凸部などの係合部が固定部材の被係合部に係合することにより、ベース部材２１と固定部材との係合を介して便器１に固定される。装置本体２０は、係合を解除するための係合解除レバー２５（図８参照）と、作業者などが係合解除レバー２５を操作するためのレバー操作部２５ａ（図５，図６，図８参照）とがベース部材２１に設けられている。作業者は、レバー操作部２５ａを操作して係合解除レバー２５を作動させて係合部と被係合部との係合を解除させた状態で、洗浄便座装置１０（装置本体２０）を前方にスライドさせることで、便器１から洗浄便座装置１０を取り外すことができる。レバー操作部２５ａと上述した排水操作部２４ａは、ベース部材２１の右側壁部２２から露出するように設けられている。
【００２０】
装置本体２０のカバー部材２６の右側壁面２７は、図５，図６に示すように、ベース部材２１の右側壁部２２の上端部に嵌め合わされるものとなっている。このため、ベース部材２１にカバー部材２６が取り付けられていても、排水操作部２４ａとレバー操作部２５ａは露出した状態のままとなる。これらの排水操作部２４ａとレバー操作部２５ａを覆うために、右側壁部２２にサイドパネル部材３０が取り付けられる。一方、図４に示すように、カバー部材２６の左側壁面２８は、右側壁面２７よりも下方に延在している。ベース部材２１の左側壁部と底部との間には面取り状部２９が形成されており、左側壁面２８と面取り状部２９との間に前後方向に沿って直線状に延びる境界線ＢＬが形成される。
【００２１】
サイドパネル部材３０は、上下方向に一定幅をもって前後方向に延在する略矩形状の樹脂部材であり、ベース部材２１の右側壁部２２に着脱可能に取り付けられる。サイドパネル部材３０は、右側壁部２２に取り付けられた状態で、右側壁部２２が露出しないようなサイズに形成されている。また、サイドパネル部材３０は、カバー部材２６の右側壁面２７との境界側に段差が生じないように右側壁面２７と面一になるように形成された平坦部３２ａと、右側壁部２２に取り付けられた状態で表面３１の前方下部側となる箇所が平坦部３２ａに対して部分的に窪んだ（裏面３４側に隆起した）窪み部３２ｂとを有する。
【００２２】
サイドパネル部材３０の裏面３４には、図７に示すように、複数の上側係合爪３５と、複数の下側係合爪３６と、複数の当接リブ３８とが形成されている。上側係合爪３５は、裏面３４から突出して上方に略直角に屈曲した形状で複数（３個）形成されている。下側係合爪３６は、裏面３４から突出し先端側が側方に折り返された形状で複数（４個）形成されている。当接リブ３８は、略直角三角形状に形成され、直角をなす二辺のうち一辺が裏面３４に一体化され他辺が裏面３４の下端側から突出するように形成されている。サイドパネル部材３０は、当接リブ３８の斜辺に相当する部分が右側壁部２２に当接して取り付けられた状態で、平坦部３２ａと右側壁部２２との間に隙間が生じるものとなる。下側係合爪３６は、一部が平坦部３２ａにおける裏面３４に形成されており、残りが窪み部３２ｂにおける裏面３４に形成されている。このため、残りの下側係合爪３６は、一部の下側係合爪３６よりも裏面３４からの突出長さが短くなっている。また、上側係合爪３５と下側係合爪３６とは、最も前方側の１の下側係合爪３６を除いて、上下に対となるように複数対（３対）形成されている。
【００２３】
ベース部材２１の右側壁部２２には、図８，図９に示すように、上側係合爪３５が係合する複数（３個）の上側係合穴２２ａと、下側係合爪３６が係合する複数（４個）の下側係合穴２２ｂとが形成されている。なお、上側係合爪３５は、屈曲した部分が上側係合穴２２ａの上縁部に係合し、下側係合爪３６は、折り返された部分が下側係合穴２２ｂの側縁部に係合する。また、上側係合穴２２ａと下側係合穴２２ｂは、最も前方側の１の下側係合穴２２ｂを除いて上下に対となるように複数対（３対）形成されている。右側壁部２２の内側には、対となる上側係合穴２２ａと下側係合穴２２ｂとに連通する空間を隔壁２３で取り囲んだ隔壁室２３ａが形成されている。上側係合穴２２ａと下側係合穴２２ｂとは３対あるから、隔壁室２３ａも３つ形成されることになる。また、前方側の１の下側係合穴２２ｂに連通する空間を隔壁２３で囲んだ隔壁室２３ｂも形成されている。
【００２４】
便座４０は、使用者が着座する着座部４１と、着座部４１の外周縁から下方に延びる周壁部４２とを有し、使用者（人体）の着座を検知する検知センサ４５が着座部４１の後部側に設けられている。便座４０は、図示しない回転軸を介して装置本体２０に回動可能に支持されると共に装置本体２０を上方から覆うように構成されている。また、便座４０は、図６に示すように、閉状態（図１参照）で下面となる底面と周壁部４２との間に面取り状部４３が設けられている。面取り状部４３は、周壁部４２の略全長に亘って設けられ、面取り状部４３と周壁部４２（便座４０の側壁面）との間に境界線ＢＺが形成される。上述した左側壁面２８の境界線ＢＬは、この境界線ＢＺと略同じ高さとなっている。
【００２５】
こうして構成された洗浄便座装置１０では、上側係合爪３５を上側係合穴２２ａに係合させてから下側係合爪３６を下側係合穴２２ｂに係合させることで、サイドパネル部材３０をベース部材２１の右側壁部２２に容易に取り付けることができる。これにより、図１〜図３に示すように、排水操作部２４ａやレバー操作部２５ａを覆い隠すことができる。また、サイドパネル部材３０が右側壁部２２に取り付けられた状態で、表面３１の前辺３１ａがカバー部材２６の右側壁面２７の前辺２７ａに連続し、表面３１の後辺３１ｂが右側壁面２７の後辺２７ｂに連続するようにサイドパネル部材３０が形成されている。このため、装置本体２０を側方からみた場合、前辺３１ａと前辺２７ａとが側面の前辺Ｌａを構成し、後辺３１ｂと後辺２７ｂとが側面の後辺Ｌｂを構成し、サイドパネル部材３０の下辺（底辺）３１ｃが側面の下辺Ｌｃを構成することになる。即ち、前辺３１ａと後辺３１ｂが装置本体２０の側面の前辺Ｌａと後辺Ｌｂの一部を構成し、下辺３１ｃが装置本体２０の側面の下辺Ｌｃの全部を構成する。また、上述したように、サイドパネル部材３０の平坦部３２ａにおける表面３１が右側壁面２７と面一となり段差のない状態となっている。これらのことから、サイドパネル部材３０とカバー部材２６の右側壁面２７との境界が、サイドパネル部材３０の上辺だけとなって境界が目立つのを抑えることができるから、サイドパネル部材３０が別部材であることを気付き難くすると共に装置本体２０の側面のデザイン性が低下するのを抑制することができる。したがって、サイドパネル部材３０が取り外されて排水操作部２４ａやレバー操作部２５ａがいたずらされるのを抑制することができるから、いたずらによって洗浄便座装置１０が取り外されたり位置がずれたりすることや水タンク２４の水が排出されることを適切に防止することができる。
【００２６】
また、サイドパネル部材３０は、平坦部３２ａと窪み部３２ｂとの境界線ＢＲ（図６参照）が、便座４０の境界線ＢＺと略同じ高さとなるように形成されている（図２参照）。上述したように、左側壁面２８の境界線ＢＬも便座４０の境界線ＢＺと略同じ高さとなるから、境界線ＢＺに対し左右両側の境界線ＢＲ，ＢＬの高さを揃えてデザイン的な統一感をもたせることができる。このため、サイドパネル部材３０によってデザイン性が低下するのを一層抑制することができる。
【００２７】
また、サイドパネル部材３０の平坦部３２ａと右側壁部２２との隙間に、作業者が下方から指を引っ掛けて手前上方に引っ張るようにすることで、下側係合爪３６と下側係合穴２２ｂとの係合を解除すると共に上側係合爪３５と上側係合穴２２ａとの係合を解除して、サイドパネル部材３０を容易に取り外すことができる。これにより、排水操作部２４ａやレバー操作部２５ａを露出させて、水タンク２４の排水作業や洗浄便座装置１０の取り外し作業を容易に行うことができる。また、仮に作業者がサイドパネル部材３０の取り付けを忘れても、上側係合穴２２ａや下側係合穴２２ｂから入った水滴を隔壁室２３ａ，２３ｂ内に留めることができる。このため、ベース部材２１の内部に水滴が到達するのを防止して、制御装置などに水滴がかかるのを防ぐことができる。また、隔壁室２３ａ，２３ｂ内に留められた水滴を、下側係合穴２２ｂから適切に排出させることができる。即ち、下側係合穴２２ｂを排水穴に兼用することができるから、専用の排水穴を形成する必要がないものとすることができる。
【００２８】
以上説明した洗浄便座装置１０では、装置本体２０の右側に排水操作部２４ａとレバー操作部２５ａとを覆うように着脱可能に取り付けられるサイドパネル部材３０を備える。サイドパネル部材３０は、平坦部３２ａにおける表面３１が右側壁面２７と面一となり、前辺３１ａ，後辺３１ｂ，下辺３１ｃが装置本体２０の右側面の前辺Ｌａ，後辺Ｌｂ，下辺Ｌｃの一部または全部を構成するように形成されるから、サイドパネル部材３０が別部材であることを気付き難くすることができる。このため、いたずら防止効果を高めると共にデザイン性が低下するのを抑制することができる。
【００２９】
また、サイドパネル部材３０は、洗浄便座装置１０の前後方向に沿って延在し、前辺３１ａと後辺３１ｂが装置本体２０の右側面の前辺Ｌａと後辺Ｌｂの一部を構成すると共に下辺３１ｃが右側面の下辺Ｌｃの全部を構成するから、装置本体２０の側面との一体感を高めて別部材であることをより気付き難くすることができる。
【００３０】
また、右側壁部２２に形成された上側係合穴２２ａおよび下側係合穴２２ｂと、サイドパネル部材３０に形成された上側係合爪３５および下側係合爪３６との係合により、サイドパネル部材３０を容易に着脱することができる。
【００３１】
また、上側係合穴２２ａや下側係合穴２２ｂから入った水滴を隔壁室２３ａ，２３ｂで留めて、装置本体２０の内部に水滴が到達するのを抑制することができる。
【００３２】
また、下側係合穴２２ｂは、隔壁室２３ａ，２３ｂ内の水滴を外部に排出する排水穴を兼ねるから、専用の排水穴を設けなくても水滴を適切に排出することができる。
【００３３】
また、洗浄便座装置１０は、公共施設に配置された便器１に設置されており、不特定多数の使用者に使用されるためにいたずらを防止する必要性が高いことから、本発明を適用する意義が高い。
【００３４】
上述した実施形態では、排水操作部２４ａとレバー操作部２５ａとがいずれも装置本体２０の右側に設けられるものとしたが、これに限られず、いずれも左側に設けられるものとしてもよい。また、装置本体２０の左右の両側に１つずつ設けられるものとしてもよい。そのようにする場合、装置本体２０の両側にサイドパネル部材３０をそれぞれ取り付けて両者を覆うものとしてもよい。あるいは、装置本体２０の片側にのみサイドパネル部材３０を取り付けて、いずれか一方の操作部のみを覆うものとしてもよい。
【００３５】
実施形態では、排水操作部２４ａとレバー操作部２５ａとがいずれも装置本体２０の側方に設けられるものとしたが、これに限られず、レバー操作部２５ａのみが側方に設けられるものなど、いずれか一方のみが側方に設けられるものとしてもよい。
【００３６】
実施形態では、サイドパネル部材３０が装置本体２０の右側面の三辺の一部または全部を構成するものとしたが、これに限られず、少なくとも二辺の一部を構成するものであればよい。また、前後方向に延在する形状に限られるものではない。ここで、図１０は変形例の洗浄便座装置１０Ｂの右側面図であり、図１１は変形例の洗浄便座装置１０Ｃの右側面図である。これらの変形例では、装置本体２０Ｂ，２０Ｃの右側面にレバー操作部２５ａのみが設けられるものを示す。図１０に示すように、サイドパネル部材３０Ｂは、装置本体２０Ｂの右側面の略中央部分を斜めに横切るように延在して着脱可能に取り付けられ、二辺が右側面の後辺と下辺の一部を構成する。また、図１１に示すように、サイドパネル部材３０Ｃは、装置本体２０Ｃの右側面の右下隅に着脱可能に取り付けられ、二辺が右側面の後辺と下辺の一部を構成する。これらのようにしても、サイドパネル部材３０Ｂ，３０Ｃを目立ち難くすることができるから、いたずら防止効果を高めると共にデザイン性が低下するのを抑制することができる。
【００３７】
実施形態では、洗浄便座装置１０を便座４０を覆うための便蓋が設けられない便蓋レスの構造としたが、これに限られず、便蓋が設けられる構造としてもよい。また、洗浄便座装置１０は、公共施設に配置された便器１に設置されるものとしたが、これに限られず、一般家庭などに配置された便器１に設置されるものなどとしてもよい。
【００３８】
実施形態では、下側係合穴２２ｂが排水穴を兼ねるものとしたが、これに限られず、専用の排水穴を設けるものとしてもよい。このようにする場合、例えば、隔壁室２３ａ，２３ｂの底面に排水穴を設けるものなどとすればよい。
【００３９】
実施形態では、隔壁室２３ａ，２３ｂが形成されるものとしたが、これに限られず、隔壁室２３ａ，２３ｂが形成されないものとしてもよい。ただし、装置本体２０の内部への水滴の到達を抑制するため、隔壁室２３ａ，２３ｂが形成されるものが好ましい。
【００４０】
実施形態では、上側係合穴２２ａおよび下側係合穴２２ｂと、上側係合爪３５および下側係合爪３６との係合によりサイドパネル部材３０が着脱可能に取り付けられるものとしたが、これに限られず、サイドパネル部材３０が着脱可能であれば如何なる構成としてもよい。例えば、ベース部材２１の右側壁部や左側壁部に対し、スライドレールなどにより前後方向にスライド可能にサイドパネル部材を構成し、サイドパネル部材をスライドさせながら着脱させるものなどとしてもよい。
【００４１】
実施形態では、水タンク２４に洗浄水を貯留するように構成するものを例示したが、これに限られず、水タンク２４を備えずに洗浄水を瞬間的に加熱するように構成するものなどとしてもよい。このように構成した場合でも、洗浄水の流路から洗浄水を排出させるための排水操作部を側面に設けるものなどとしてもよい。
【００４２】
実施形態では、サイドパネル部材３０に平坦部３２ａと窪み部３２ｂとを設けるものとしたが、これに限られず、窪み部３２ｂを設けずにサイドパネル部材３０を平坦状に形成するものなどとしてもよい。この場合、サイドパネル部材３０の表面３１の全面を、右側壁面２７と面一とすることができる。また、平坦部３２ａにおける表面３１を右側壁面２７と面一とすることで段差のない状態としたが、表面３１と右側壁面２７との境界に見た目で認識できるような段差のない状態となっていればよい。例えば、右側壁面２７に立体的な模様などの装飾が施されている場合、その模様に連続するような模様が表面３１に形成されていてもよい。
【００４３】
本実施形態の主要な要素と課題を解決するための手段の欄に記載した発明の主要な要素との対応関係について説明する。本実施形態の洗浄便座装置１０が本発明の「洗浄便座装置」に相当し、レバー操作部２５ａが「着脱操作用の操作部」に相当し、排水操作部２４ａが「排水操作用の操作部」に相当し、装置本体２０が「本体」に相当し、サイドパネル部材３０が「パネル部材」に相当する。表面３１が「表面」に相当し、前辺３１ａが「表面の前辺」に相当し、後辺３１ｂが「（表面の）後辺」に相当し、下辺３１ｃが「表面の下辺」に相当する。ベース部材２１の右側壁部２２が「側壁部」に相当し、上側係合穴２２ａと下側係合穴２２ｂとが「係合穴」に相当し、上側係合爪３５と下側係合爪３６とが「係合爪」に相当する。隔壁２３が「隔壁」に相当し、隔壁室２３ａ，２３ｂが「隔壁室」に相当する。
【００４４】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４５】
以上、本発明を実施するための形態について説明したが、本発明はこうした実施形態に何など限定されるものではなく、本発明の要旨を逸脱しない範囲内において、種々なる形態で実施し得ることは勿論である。
【産業上の利用可能性】
【００４６】
本発明は、洗浄便座装置の製造産業などに利用可能である。
【符号の説明】
【００４７】
１  便器、１０，１０Ｂ，１０Ｃ  洗浄便座装置、２０，２０Ｂ，２０Ｃ  装置本体、２１  ベース部材、２２  右側壁部、２２ａ  上側係合穴、２２ｂ  下側係合穴、２３  隔壁、２３ａ，２３ｂ  隔壁室、２４  水タンク、２４ａ  排水操作部（操作栓）、２５  係合解除レバー、２５ａ  レバー操作部、２６  カバー部材、２７  右側壁面、２７ａ  前辺、２７ｂ  後辺、２８  左側壁面、２９  面取り状部、３０，３０Ｂ，３０Ｃ  サイドパネル部材、３１  表面、３１ａ  前辺、３１ｂ  後辺、３１ｃ  下辺、３２ａ  平坦部、３２ｂ  窪み部、３４  裏面、３５  上側係合爪、３６  下側係合爪、３８  当接リブ、４０  便座、４１  着座部、４２  周壁部、４３  面取り状部、４５  着座センサ、ＢＺ，ＢＬ，ＢＲ  境界線、Ｌａ  前辺、Ｌｂ  後辺、Ｌｃ  下辺。
【図１】
2020037782.tif 000003
【図２】
2020037782.tif 000004
【図３】
2020037782.tif 000005
【図４】
2020037782.tif 000006
【図５】
2020037782.tif 000007
【図６】
2020037782.tif 000008
【図７】
2020037782.tif 000009
【図８】
2020037782.tif 000010
【図９】
2020037782.tif 000011
【図１０】
2020037782.tif 000012
【図１１】
2020037782.tif 000013